(57)【要約】  本発明は、非接触式の間隔測定のための距離測定機器（１０）、特に手持ち機器であって、ハウジング（１２）が設けられており、該ハウジング（１２）が、測定方向（３２）に向けられたハウジング前面（１４）と、該ハウジング前面（１４）と反対の側のハウジング後面（１６）とを有しており、該ハウジング後面（１６）が、間隔測定のための第１の基準平面（ＡＡ’）を形成しており、さらに、測定当接体（４０）の測定ストッパ（４２）が設けられており、測定当接体（４０）が、ハウジング（１２）を越えて外方に運動可能である形式のものに関する。本発明によれば、測定当接体（４０）が、ロック手段（４４，４６）の解除時に自動的に第１の基準平面（ＡＡ’）を越えて外方に測定位置に移動させられるようにハウジング内に支承されていることが提案される。
2009503525.tif 000002
【特許請求の範囲】
【請求項１】
非接触式の間隔測定のための距離測定機器（１０）、特に手持ち機器であって、ハウジング（１２）が設けられており、該ハウジング（１２）が、測定方向（３２）に向けられたハウジング前面（１４）と、該ハウジング前面（１４）と反対の側のハウジング後面（１６）とを有しており、該ハウジング後面（１６）が、間隔測定のための第１の基準平面（ＡＡ’）を形成しており、さらに、測定当接体（４０）の測定ストッパ（４２）が設けられており、測定当接体（４０）が、ハウジング（１２）を越えて外方に運動可能である形式のものにおいて、測定当接体（４０）が、ロック手段（４４，４６）の解除時に自動的に第１の基準平面（ＡＡ’）を越えて外方に測定位置に移動させられるようにハウジング内に支承されていることを特徴とする、非接触式の間隔測定のための距離測定機器。
【請求項２】
測定当接体（４０）が、旋回可能にハウジング（１２）内に支承されていて、ロック手段（４４，４６）の解除時に自動的に第１の基準平面（ＡＡ’）を越えて外方に測定位置に旋回させられるようになっている、請求項１記載の距離測定機器。
【請求項３】
測定当接体（４０）が、その進出させられた位置で第１の基準平面（ＡＡ’）に対してほぼ垂直に位置している、請求項１または２記載の距離測定機器。
【請求項４】
測定当接体（４０）が、その進出させられた位置で測定ストッパ（４２）によって基準点を規定しており、該基準点が、第１の基準平面（ＡＡ’）に対して平行な第２の平面に位置している、請求項１から３までのいずれか１項記載の距離測定機器。
【請求項５】
測定ストッパボディ（４０）が、ほぼ棒状に形成されている、請求項１から４までのいずれか１項記載の距離測定機器。
【請求項６】
測定ストッパボディ（４０）が、測定方向（３２）に対して垂直な少なくとも１つの旋回軸線（ＣＣ’）を有している、請求項２から５までのいずれか１項記載の距離測定機器。
【請求項７】
測定当接体（４０）の位置および／または旋回角を検出するための手段が設けられている、請求項１から６までのいずれか１項記載の距離測定機器。
【請求項８】
ハウジング前面（１４）が、湾曲させられていて、第１の基準平面（ＡＡ’）に対して平行な平らな部分区分（３４）を有しており、該部分区分（３４）が、第３の基準平面を規定している、請求項１から７までのいずれか１項記載の距離測定機器。
【請求項９】
当付け面として働く平らな部分区分（３４）が、ハウジング前面（１４）の、該ハウジング前面（１４）に設けられた測定信号出射開口（２８）と反対の側に形成されている、請求項８記載の距離測定機器。
【請求項１０】
ハウジング前面（１４）の、当付け面として働く平らな部分区分（３４）が、ハウジング（１２）の受信開口（３０）の領域に形成された切欠き（３６）を有している、請求項８または９記載の距離測定機器。
【請求項１１】
当該測定機器（１０）が、オプトエレクトロニクス型の測定機器、特にレーザ式距離測定器として形成されている、請求項１から１０までのいずれか１項記載の距離測定機器。
【発明の詳細な説明】
【技術分野】
【０００１】
本発明は、非接触式の間隔測定のための距離測定機器、特に手持ち機器であって、ハウジングが設けられており、該ハウジングが、測定方向に向けられたハウジング前面と、該ハウジング前面と反対の側のハウジング後面とを有しており、該ハウジング後面が、間隔測定のための第１の基準平面を形成しており、さらに、測定当接体の測定ストッパが設けられており、測定当接体が、ハウジングを越えて外方に運動可能である形式のものから出発する。
【０００２】
背景技術
冒頭で述べた形式の距離測定機器によって、一般的に、この距離測定機器が相応の測定ストッパで当て付けられる基準点からの、測定される対象の距離が測定される。このような距離測定機器は、たとえばレーザ式測定機器、超音波式測定機器または高周波式測定機器もしくはレーダ式測定機器として構想することができる。全ての事例において、距離は、測定機器から送出された変調された信号の伝搬時間の直接的なもしくは間接的な測定によって規定される。変調された信号は、測定したい対象で反射され、次いで、測定機器によって再び受信される。
【０００３】
ドイツ連邦共和国特許出願公開第４３１６３４８号明細書に基づき、種々異なる測定課題に対して使用することができる距離測定機器が公知である。したがって、この公知の測定機器は、たとえば内面、たとえば内壁、床または天井から出発する測定の、しばしば見られる使用事例では、裏側で、すなわち、対象と反対の側の当接面で基準面に当て付けられ得る。外縁部から出発して測定したい事例では、公知の距離測定機器が、測定したい対象に向かって前面で、すなわち、対象に面した側の当接面で基準面に当て付けられ得る。ドイツ連邦共和国特許出願公開第４３１６３４８号明細書の装置では、機器の前面および後面が互いに平行に形成されている。
【０００４】
使用事例に応じて、距離測定の機器側の基準点もしくは零点として、距離測定機器の前面または後面が規定される。
【０００５】
ドイツ連邦共和国実用新案第２９６１５５１４号明細書に基づき、測定光線のための送光器と、反射された戻る光線のための受光器と、測定機器から反射箇所への間隔を検出するための評価ユニットとを備えた電子的な間隔測定機器が公知である。この公知の間隔測定機器は、ほぼ直方体状のハウジングの、互いに平行に反対の側に位置する２つの面に、それぞれ１つの測定へらを有している。この測定へらは送り・戻り可能にハウジングに取り付けられている。ガイドに両側で機器ハウジングに取り付けられた測定へらは、一方では、機器の前面にまで戻り可能であるかもしくは別の安定した端位置で、正確に設定された区間だけ引出し可能である。測定へらの、引き出された位置は、へらのガイドにまたは測定機器のハウジング壁に設けられたタッチスイッチによって自動的に確認され、電子的な間隔測定機器の評価ユニットに伝送される。
【０００６】
ドイツ連邦共和国特許出願公開第１００５５５１０号明細書に基づき、オプトエレクトロニクス型のレーザ式距離測定機器が公知である。この公知のレーザ式距離測定機器は、測定方向と反対の側のハウジング後面に面状の測定ストッパを有している。この測定ストッパはハウジングを越えて外方に旋回させることができる。
【０００７】
発明の利点
本発明の構成によれば、測定当接体が、ロック手段の解除時に自動的に第１の基準平面を越えて外方に測定位置に移動させられるようにハウジング内に支承されている。
【０００８】
本発明の有利な構成によれば、測定当接体が、旋回可能にハウジング内に支承されていて、ロック手段の解除時に自動的に第１の基準平面を越えて外方に測定位置に旋回させられるようになっている。
【０００９】
本発明の有利な構成によれば、測定当接体が、その進出させられた位置で第１の基準平面に対してほぼ垂直に位置している。
【００１０】
本発明の有利な構成によれば、測定当接体が、その進出させられた位置で測定ストッパによって基準点を規定しており、該基準点が、第１の基準平面に対して平行な第２の平面に位置している。
【００１１】
本発明の有利な構成によれば、測定ストッパボディが、ほぼ棒状に形成されている。
【００１２】
本発明の有利な構成によれば、測定ストッパボディが、測定方向に対して垂直な少なくとも１つの旋回軸線を有している。
【００１３】
本発明の有利な構成によれば、測定当接体の位置および／または旋回角を検出するための手段が設けられている。
【００１４】
本発明の有利な構成によれば、ハウジング前面が、湾曲させられていて、第１の基準平面に対して平行な平らな部分区分を有しており、該部分区分が、第３の基準平面を規定している。
【００１５】
本発明の有利な構成によれば、当付け面として働く平らな部分区分が、ハウジング前面の、該ハウジング前面に設けられた測定信号出射開口と反対の側に形成されている。
【００１６】
本発明の有利な構成によれば、ハウジング前面の、当付け面として働く平らな部分区分が、ハウジングの受信開口の領域に形成された切欠きを有している。
【００１７】
本発明の有利な構成によれば、当該測定機器が、オプトエレクトロニクス型の測定機器、特にレーザ式距離測定器として形成されている。
【００１８】
請求項１の特徴を備えた本発明による距離測定機器は、この測定機器の測定ストッパボディが、ロック手段の解除時に自動的にハウジングを越えて外方に、特にハウジング後面によって規定された基準平面を越えて外方に測定位置に移動させられるようにハウジング内に支承されているという利点を有している。
【００１９】
最近の距離測定機器はますますコンパクトになっている。この場合、そうこうしているうちに、小型化は、ハウジングの機械的な構成部材の手による操作によって、ある程度の指圧強度が必要となるまで進歩した。
【００２０】
本発明による距離測定機器では、この機器内に設けられた測定ストッパが自動的に、たとえばボタンプッシュでロック手段の解除によって進出させられるようになっており、これによって、測定ストッパが自動的にその測定位置をとる。測定ストッパの内方旋回時には、この測定ストッパが同じく自動的にロックし、その後、その格納位置にとどまる。
【００２１】
こうして、距離測定機器、特にこのような機器の測定ストッパの、操作者が使用しやすい簡単な取扱いが可能となる。
【００２２】
従属請求項に記載した特徴によって、本発明による距離測定機器の有利な構成および改良が可能となる。
【００２３】
有利な構成では、測定ストッパボディが旋回可能にハウジング内に支承されていて、そのロック手段の解除時に自動的にハウジングを越えて外方にもしくはハウジングに形成された第１の基準平面を越えて外方に測定位置に旋回させられる。
【００２４】
距離測定機器の可能な測定位置に相当する進出させられた位置もしくは外方旋回させられた位置では、測定ストッパボディが機器の第１の基準平面に対してほぼ垂直に位置している。この第１の基準平面は距離測定機器のハウジング後面によって形成される。
【００２５】
進出させられた位置では、測定ストッパボディが、特にその先端によって、第１の基準平面に対して平行に形成された１つの平面に位置する基準点を規定している。
【００２６】
有利には、本発明による距離測定機器の測定ストッパボディがほぼ棒状にもしくはピン状に形成されている。この場合、測定ストッパボディの直径は、進出させられた長さよりも著しく小さく、これによって、棒形状もしくはピン形状により、狭幅箇所、たとえば穿設孔からの測定も可能となる。
【００２７】
有利には、測定ストッパボディが少なくとも１つの旋回軸線を有している。この旋回軸線は測定機器の測定方向に対して垂直に形成されている。この場合、測定ストッパボディの旋回軸線は、取外し可能な軸ピンによって形成されていてよい。この軸ピンは、有利には機器ハウジング内に配置されている。こうして、測定ストッパボディを場合により交換するかもしくは新たに取り換えることが可能となる。
【００２８】
本発明による距離測定機器は、有利な構成では、測定ストッパボディの位置および／または旋回角を検出するための手段を有している。この手段を介して、測定機器の電子装置が測定ストッパボディの目下の位置を検出することができ、これにより規定された、間隔測定のための基準平面を測定機器の評価ユニットに伝送することができる。択一的には、このような自動的な切換を省略し、使用者によって、たとえば機能キーの形で操作することができる切換機能を設けることが可能である。この場合、距離の検出のための基準平面は、使用者によって１つのキーにより切り換えられ得る。
【００２９】
有利には、本発明による測定機器はハウジング前面に第３の基準平面を有している。この第３の基準平面は第１の基準平面もしくは第２の基準平面に対して平行に配置されている。このためには、ほぼアーチ状に、すなわち、湾曲させられて形成されたハウジング前面が面状の部分区分を有している。この部分区分は本発明による距離測定機器の当付け面および基準平面として形成されている。
【００３０】
有利には、本発明による測定機器のハウジング前面の、当付け面として働く面状の部分区分が、ハウジング前面の、機器ハウジングの測定出射開口と反対の側に形成されている。こうして、ハウジング前面に、基準平面として働く当付け面が形成されていることが達成される。この場合、使用者は、この前側の基準面の使用時に、測定信号出射開口を測定機器の当付けによってカバーする危険を冒さない。
【００３１】
測定機器のハウジングに設けられた受信開口の完全なまたは部分的なカバーを阻止するためには、ハウジング前面の、当付け面として働く平らな部分区分が、受信開口の領域に形成された切欠きを有している。この切欠きを通って、測定信号が再び測定機器内に入射することができる。
【００３２】
有利には、本発明による距離測定機器は、オプトエレクトロニクス型の距離測定機器、特にレーザ式距離測定器として形成されている。この距離測定機器は、コンパクトな手持ち式の間隔測定器として、特に内部領域に使用することができる。
【００３３】
本発明による測定機器の更なる利点は、図面の簡単な説明ならびに所属の実施例の説明に開示されている。
【００３４】
図面には、本発明による距離測定機器の１つの実施例が示してある。この実施例を以下の説明において詳しく説明する。図面の簡単な説明、実施例の説明ならびに特許請求の範囲には、数多くの特徴が組み合わせて記載してある。当業者はこれらの特徴を個々に考慮することもあれば、別の有利な新たな組合せにまとめることもある。
【００３５】
実施例の説明
図１には、距離測定機器１０が示してある。この距離測定機器１０は、ハウジング前面１４とハウジング後面１６とを備えたハウジング１２を有している。このハウジング１２はほぼ直方体状に形成されているものの、明確なウエスト１８を測定機器の長手方向延在長さの中間の領域に有している。
【００３６】
ハウジング１２の上面２０には、スイッチオンもしくはスイッチオフおよび種々異なる測定プログラムの呼出しのための種々異なる機能キー２２と、測定過程を生ぜしめるための測定キー２４とが配置されている。さらに、測定機器１０の上面２０には、ディスプレイ２６の形の出力ユニットが位置している。この出力ユニットによって、たとえば検出された測定値と、選択された測定プログラムに関する付加的な情報とを表示することができる。
【００３７】
測定機器１０はそのハウジング前面１４に、測定放射線、たとえば変調されたレーザビームのための出射開口２８を有している。第２の開口３０は、測定対象で反射された測定信号に対する入射開口を形成している。
【００３８】
ハウジング内部には、測定信号に対する送信ユニットならびに受信ユニットのほかに、相応の評価ユニットが位置している。この評価ユニットは、測定信号の伝搬時間、特に変調された測定信号の比較位相測定に基づき、測定したい測定対象に対する測定機器の距離を規定する。
【００３９】
図２には、図１に示した実施例のハウジング上面２０の平面図が示してある。
【００４０】
ハウジング後面１６は、測定機器を、たとえば壁に当て付けるための第１の基準平面ＡＡ’を形成している。ハウジング後面１６によって形成された基準平面ＡＡ’は、ほぼ、すなわち、機械的なもしくは製作に起因した誤差を除いて、距離測定機器の、矢印３２によって図２に特徴付けた測定方向に対して垂直に延びている。
【００４１】
ハウジング前面１４は、ほぼ湾曲させられて形成されていて、測定信号入射開口３０の領域に平らな部分領域３４を有している。この部分領域３４は基準平面ＢＢ’を規定している。この基準平面ＢＢ’は第１の基準平面ＡＡ’に対して平行に延びている。ハウジング前面の平らな部分領域３４は、測定信号入射開口３０の、測定信号出射開口２８と反対の側に形成されていて、測定信号入射開口３０を少なくとも部分的に取り囲んでいる。このことは、図１に明確に認めることができる。こうして、ハウジング前面の平らな部分領域３４が切欠き３６を有している。この切欠き３６を通って、測定信号が測定信号入射開口３０に入射することができる。ハウジング前面の平らな部分領域３４によって、測定機器をその前面で基準面に当て付けることもできる。この場合、使用者が、この当付け時に測定信号出射開口２８を遮蔽する危険はない。使用者が、本発明による距離測定機器を測定信号出射開口２８の領域で基準面、たとえば縁部に当て付けることを防止するためには、ハウジング前面１４が測定信号出射開口２８の領域に、湾曲させられた部分領域３８を有しており、これによって、この領域で、測定縁部に対して平行な測定機器の当付けが不可能となる。
【００４２】
図３には、機器後面に向かって見て、進出させられた状態もしくは外方旋回させられた状態における測定ストッパボディ４０を備えたハウジング後面１６の詳細図が示してある。
【００４３】
測定ストッパボディ４０は、ほぼ棒状にもしくはピン状に形成されていて、基準点として働く測定ストッパ４２を、測定機器と反対の側の端部に有している。測定ストッパボディ４０は、特に円錐形に形成されていてよい。この場合、測定ストッパボディは、狭幅箇所、たとえば部屋隅からの測定もしくは穿設孔からの測定も可能となるように寸法設定されている。このためには、本発明による測定機器が測定ストッパボディの進出時にこの測定ストッパボディで穿設孔内に差し込まれてよい。
【００４４】
本発明による距離測定機器の測定ストッパボディ４０は、軸線ＣＣ’を中心として旋回可能に測定機器のハウジング内に配置されている。ハウジングの後方の部分には、ばね負荷されたロックピン４４も配置されている。このロックピン４４はその一方の端部で測定ストッパボディ４０のロック開口４６内に係合することができる。
【００４５】
ハウジング後面１６の突出した縁部４３が基準平面ＡＡ’を形成している。この基準平面ＡＡ’を越えて、測定ストッパボディは、進出させられた状態に張り出す。
【００４６】
図４には、ロックされた状態における本発明による測定ストッパボディ４０が、測定機器の測定方向３２と逆方向の平面図もしくは図３における観察方向と逆方向の平面図で示してある。図４では、いわば、測定機器のハウジングを通してハウジング後面１６が観察されている。
【００４７】
ばねエレメント４８を介してプリロード下にある、つまり、予備荷重が加えられた状態にあるロックピン４４は、図４では、測定ストッパボディ４０のロック開口４６内に係合している。測定ストッパボディ４０は、プリロードがかけられたロックピン４４によって、図４に示した格納位置に保持される。この位置では、測定ストッパボディ全体が基準平面ＡＡ’の背後に位置しており、これによって、この基準平面ＡＡ’が測定機器のハウジングの端部もしくは終端部を形成している。ロックピンが、図３もしくは図４に示した矢印５０の方向と逆方向に移動させられると、ロックピン４４がロック開口４６から進出し、ねじりばね５２が、ハウジング後面１６の基準平面ＡＡ’を越えた測定ストッパボディ４０の進出を生ぜしめる。
【００４８】
測定ストッパボディ４０のロックを解除するためには、ロックピン４４が、図３の実施例に示したように、たとえばピンに形成されたドーム５４を介して機械的に矢印５０の方向に移動させられ得る。択一的には、たとえばロックピンの自動的な、たとえば電磁的な吸引も可能である。この吸引は、機能キー２２を介して促進されて、電磁石によって実現することができる。
【００４９】
図３もしくは図４の実施例では、測定ストッパボディがそのロックの解除時にハウジングから測定位置に旋回させられ、これによって、測定ストッパ４２が基準平面ＡＡ’を越えて進出するようになっている。これによって、測定ストッパ４２が、縁部４３によって形成された第１の基準平面ＡＡ’に対して平行に延びる第２の基準平面に位置している。
【００５０】
いま、測定ストッパボディが、測定機器のハウジング内の格納位置に再びもたらされる、たとえば手で格納位置に押し込まれると、ロックピン４４が、ばねエレメント４８によって促進されて、自動的に再び測定ストッパボディのロック開口４６内に係止し、これによって、測定ストッパボディが測定機器のハウジング内に位置固定されている。しかし、ここでも、測定当接体の自動的な引込みが可能となる。
【００５１】
本発明による測定ストッパボディ４０の有利な構成では、旋回軸線ＣＣ’（図３参照）が特殊ねじによって形成される。この特殊ねじは、ねじと軸ピンとの組合せを成している。特殊ねじ５６には、測定機器の機器下側６０に設けられた開口５８を通して接近することができ、これによって、たとえば測定ストッパボディ４０を交換することもできる。
【００５２】
機器内に回動させられた格納位置で測定ストッパボディ４０は、測定機器の第１の基準平面ＡＡ’と第２の基準平面ＢＢ’との間に位置している。
【００５３】
本発明による距離測定機器は、構成において例示したレーザ式距離測定機器に限定されていない。本発明による距離測定機器は、超音波式測定機器であってもよいし、高周波式測定機器、たとえばレーダ式距離測定機器であってもよい。
【００５４】
さらに、本発明による距離測定機器は、旋回可能な測定ストッパボディに限定されていない。
【００５５】
したがって、測定ストッパボディがその測定ストッパで、たとえば線形にハウジングからハウジング外にもしくはハウジング内に移動可能であってもよい。この事例では、移動方向が測定信号の方向に対して平行に延びている。
【図面の簡単な説明】
【００５６】
【図１】本発明による距離測定機器の構成の斜視図である。
【図２】図１に示した距離測定機器の平面図である。
【図３】機器後面に向かって見た、測定当接体の実施例を明瞭にするための測定ストッパボディの進出時の本発明による距離測定機器の詳細図である。
【図４】図３と逆方向の観察方向で見た、測定ストッパボディの進入時の図３に相応の詳細図である。
【符号の説明】
【００５７】
１０  距離測定機器、  １２  ハウジング、  １４  ハウジング前面、  １６  ハウジング後面、  １８  ウエスト、  ２０  上面、  ２２  機能キー、  ２４  測定キー、  ２６  ディスプレイ、  ２８  測定信号出射開口、  ３０  測定信号入射開口、  ３２  矢印、  ３４  部分領域、  ３６  切欠き、  ３８  部分領域、  ４０  測定ストッパボディ、  ４２  測定ストッパ、  ４３  縁部、  ４４  ロックピン、  ４６  ロック開口、  ４８  ばねエレメント、  ５０  矢印、  ５２  ねじりばね、  ５４  ドーム、  ５６  特殊ねじ、  ５８  開口、  ６０  機器下側、  ＡＡ’  基準平面、  ＢＢ’  基準平面、  ＣＣ’  旋回軸線
【図１】
2009503525.tif 000003
【図２】
2009503525.tif 000004
【図３】
2009503525.tif 000005
【図４】
2009503525.tif 000006
【国際調査報告】
2009503525.tif 000007
2009503525.tif 000008
2009503525.tif 000009
2009503525.tif 000010
2009503525.tif 000011
2009503525.tif 000012